(57)【特許請求の範囲】
【請求項１】
タブレットコンピュータと、
キーボードドックと
を備え、
前記タブレットコンピュータは、
タブレットコンピュータ本体と、
第１のヒンジカバーと、
第１のヒンジと
を有し、
前記第１のヒンジの第１の端部は、前記第１のヒンジカバーに接続され、前記第１のヒンジの第２の端部は、前記タブレットコンピュータ本体に接続され、前記第１のヒンジカバーは、前記第１のヒンジの中心軸を中心として、前記タブレットコンピュータ本体に対して回転するために用いられ、
前記キーボードドックは、
キーボードドック本体と、
第２のヒンジカバーと、
第２のヒンジと
を有し、
前記第２のヒンジの第１の端部は、前記第２のヒンジカバーに接続され、前記第２のヒンジの第２の端部は、前記キーボードドック本体に接続され、前記第２のヒンジカバーは、前記第２のヒンジの中心軸を中心として、前記キーボードドック本体に対して回転するために用いられ、
前記タブレットコンピュータと前記キーボードドックとは、前記第１のヒンジカバーと前記第２のヒンジカバーとを用いて接続され、前記第１のヒンジカバーは、取り外し可能な方式で前記第２のヒンジカバーに接続される、
ノートブックコンピュータ。
【請求項２】
凹溝が前記第１のヒンジカバー上に配置され、凸ほぞが前記第２のヒンジカバー上に配置され、前記第１のヒンジカバーは、前記凸ほぞを前記凹溝に接続することにより前記第２のヒンジカバーに接続される、
請求項１に記載のノートブックコンピュータ。
【請求項３】
前記凹溝は、前記第１のヒンジカバーの外側に配置された第１の凹溝および第２の凹溝を含み、
前記凸ほぞは、前記第２のヒンジカバーの外側に配置された第１の凸ほぞおよび第２の凸ほぞを含み、
前記第１の凹溝と前記第２の凹溝との間の直線距離は、前記第１の凸ほぞと前記第２の凸ほぞとの間の直線距離と同じである、
請求項２に記載のノートブックコンピュータ。
【請求項４】
第１の磁石が前記第１のヒンジカバーの内部に配置され、
第２の磁石が前記第２のヒンジカバーの内部に配置され、
前記第１のヒンジカバーは、前記第１の磁石および前記第２の磁石を用いて、前記第２のヒンジカバーに磁気的に接続される、
請求項１に記載のノートブックコンピュータ。
【請求項５】
前記第１のヒンジは、前記第１のヒンジカバーの内部に配置され、前記第１のヒンジの数は、１または２を含み、
前記第２のヒンジは、前記第２のヒンジカバーの内部に配置され、前記第２のヒンジの数は、１または２を含む、
請求項１から４のいずれか一項に記載のノートブックコンピュータ。
【請求項６】
前記第１のヒンジの数は、２を含み、前記第１のヒンジカバーは、第１のコンポーネントおよび第２のコンポーネントを有し、２つの前記第１のヒンジは、前記第１のコンポーネントおよび前記第２のコンポーネントの内部にそれぞれ配置され、
前記第２のヒンジの数は、２を含み、前記第２のヒンジカバーは、第３のコンポーネントおよび第４のコンポーネントを有し、２つの前記第２のヒンジは、前記第３のコンポーネントおよび前記第４のコンポーネントの内部にそれぞれ配置される、
請求項５に記載のノートブックコンピュータ。
【請求項７】
第１のコネクタが前記第１のヒンジカバー上に配置され、
第２のコネクタが前記第２のヒンジカバー上に配置され、
前記第１のコネクタおよび前記第２のコネクタは、前記第１のコネクタおよび前記第２のコネクタを介して、前記キーボードドックと前記タブレットコンピュータとの間でデータを送信するために用いられる、
請求項１から４のいずれか一項に記載のノートブックコンピュータ。
【請求項８】
第１の高速近距離データ送信チップが前記第１のヒンジカバーの内部に配置され、
第２の高速近距離データ送信チップが前記第２のヒンジカバーの内部に配置され、前記第１の高速近距離データ送信チップおよび前記第２の高速近距離データ送信チップは、前記第１の高速近距離データ送信チップおよび前記第２の高速近距離データ送信チップを介して、前記キーボードドックと前記タブレットコンピュータとの間でデータを送信するために用いられる、
請求項１から４のいずれか一項に記載のノートブックコンピュータ。
【請求項９】
支持体が、前記タブレットコンピュータの背面上に配置され、前記タブレットコンピュータを支持するために用いられる、
請求項１から４のいずれか一項に記載のノートブックコンピュータ。
【発明の詳細な説明】
【技術分野】
【０００１】
本願は、２０１６年１２月１９日に中国特許庁に出願された、「ノートブックコンピュータ」と題する中国特許出願第２０１６１１１７７０１１．２号の優先権を主張する。当該出願は、参照によりその全体が本明細書に組み込まれる。
【０００２】
本願は、コンピュータ分野、特に、ノートブックコンピュータに関する。
【背景技術】
【０００３】
現在、ノートブックコンピュータは、概して、開かれるかまたは閉められ得るディスプレイスクリーンと、ポータブルメインフレーム（キーボードおよび様々なインタフェースを含む）と、再充電可能なバッテリと、他のコンポーネントとを含む。デスクトップコンピュータと比べて、ノートブックコンピュータには、軽量であり、小型であり、携帯性があるなどの利点があり、専門的用途、オフィス、会議、エンターテイメント、ビジネス等で広く用いられている。
【０００４】
ノートブックコンピュータ技術は、急速に発展している。Ｌｅｎｏｖｏ  ＹＯＧＡに代表される３６０度コンバーチブルツーインワンノートブックコンピュータは、ユーザによく受け入れられており、異なる使用モード体験をユーザにもたらし得る。ＹＯＧＡノートブックコンピュータは、ノートブック（Ｎｏｔｅｂｏｏｋ）、タブレット（Ｔａｂｌｅｔ）、スタンド（Ｓｔａｎｄ）およびテント（Ｔｅｎｔ）を含む４つの異なるスクリーン角度で自在に反転させられ得る。いくつかの単純な手動の調整をユーザが行うと、ＹＯＧＡは直ちに、最も適切な使用モードでのユーザの操作に適合させられる。
【０００５】
しかしながら、Ｌｅｎｏｖｏ  ＹＯＧＡは、接続された二軸ヒンジ（図１に示される）またはチェーンヒンジ（図２に示される）を用いて、３６０度の反転を実行する。Ｌｅｎｏｖｏ  ＹＯＧＡがタブレットコンピュータとして用いられる場合、ディスプレイの端部およびメインフレームの端部は分離され得ない。従って、タブレットコンピュータモードのＬｅｎｏｖｏ  ＹＯＧＡは、比較的厚く重いように見える。
【発明の概要】
【０００６】
本願の実施形態は、ノートブックコンピュータが任意の角度で開かれるかまたは閉じられること、およびタブレットコンピュータモード中に取り外し可能であることを可能にすることによりノートブックコンピュータをより軽量かつ便利にするために、ノートブックコンピュータを提供する。
【０００７】
本願の実施形態の第１の態様は、ノートブックコンピュータを提供する。ノートブックコンピュータは、タブレットコンピュータおよびキーボードドックを含む。
【０００８】
タブレットコンピュータは、タブレットコンピュータ本体と、第１のヒンジカバーと、第１のヒンジとを含む。第１のヒンジの第１の端部は、第１のヒンジカバーに接続され、第１のヒンジの第２の端部は、タブレットコンピュータ本体に接続され、第１のヒンジカバーは、第１のヒンジの中心軸を中心として、タブレットコンピュータ本体に対して回転するために用いられる。言い換えると、第１のヒンジカバーは、第１のヒンジの中心軸を中心として、タブレットコンピュータ本体に対して回転し得る。外力の作用下で、例えば、ノートブックコンピュータを開くかまたは閉じるプロセスにおいて、第１のヒンジカバーは、第１のヒンジの中心軸を中心として、ノートブックコンピュータを開くかまたは閉じる方向に回転する。
【０００９】
キーボードドックは、キーボードドック本体と、第２のヒンジカバーと、第２のヒンジとを含む。第２のヒンジの第１の端部は、第２のヒンジカバーに接続され、第２のヒンジの第２の端部は、キーボードドック本体に接続され、第２のヒンジカバーは、第２のヒンジの中心軸を中心として、キーボードドック本体に対して回転するために用いられる。言い換えると、第２のヒンジカバーは、第２のヒンジの中心軸を中心として、キーボードドック本体に対して回転し得る。外力の作用下で、例えば、ノートブックコンピュータを開くかまたは閉じるプロセスにおいて、第２のヒンジカバーは、第２のヒンジの中心軸を中心として、ノートブックコンピュータを開くかまたは閉じる方向に回転する。
【００１０】
タブレットコンピュータとキーボードドックとは、第１のヒンジカバーと第２のヒンジカバーとを用いて接続され、第１のヒンジカバーは、取り外し可能な方式で第２のヒンジカバーに接続される。
【００１１】
本願の本実施形態において提供されるノートブックコンピュータがノートブックモードである場合、第１のヒンジカバーおよび第２のヒンジカバーは常に、比較的静的である。タブレットコンピュータが０度から１８０度へ回転する場合、第１のヒンジカバー、第２のヒンジカバー、第２のヒンジおよびキーボードドック本体は比較的静的であり、タブレットコンピュータ本体は、第１のヒンジを中心として、第１のヒンジカバーに対して回転する。タブレットコンピュータが１８０度へ回転する場合、第１のヒンジはロックされ、タブレットコンピュータ本体の回転が止まり、第２のヒンジの動作が始まる。タブレットコンピュータが１８０度から３６０度へ回転する場合、タブレットコンピュータ本体、第１のヒンジカバー、第１のヒンジおよび第２のヒンジカバーは、比較的静的であり、キーボードドック本体は、第２のヒンジを中心として、第２のヒンジカバーに対して回転する。加えて、タブレットコンピュータがキーボードドックから取り外され得ることにより、タブレットコンピュータモードのノートブックコンピュータがより軽量かつ便利になることでより多くのより良い使用モード体験がユーザにもたらされるように、第１のヒンジカバーは、取り外し可能な方式で第２のヒンジカバーに接続される。
【００１２】
本願の実施形態の第１の態様に関連して、本願の実施形態の第１の態様の第１の実装において、凹溝が第１のヒンジカバー上に配置され、凸ほぞが第２のヒンジカバー上に配置され、第１のヒンジカバーは、凸ほぞを凹溝に接続することにより第２のヒンジカバーに接続される。凹溝および凸ほぞを用いて実行される接続方式により、第１のヒンジカバーが第２のヒンジカバーから柔軟に分離されることが可能になる。つまり、ノートブックコンピュータのタブレットコンピュータがキーボードドックから分離されることが可能になる。
【００１３】
本願の実施形態の第１の態様の第１の実装に関連して、本願の実施形態の第１の態様の第２の実装において、凹溝は、第１のヒンジカバーの外側に配置され、具体的には、第１のヒンジカバーの垂直二等分線に対して対称的に配置された第１の凹溝および第２の凹溝を含み得、凸ほぞは、第２のヒンジカバーの外側に配置され、具体的には、第２のヒンジカバーの垂直二等分線に対して対称的に配置された第１の凸ほぞおよび第２の凸ほぞを含み得、第１の凹溝と第２の凹溝との間の直線距離は、第１の凸ほぞと第２の凸ほぞとの間の直線距離と同じである。このように、ノートブックコンピュータの組み立てを容易にするために、凹溝は、比較的美的な方式で凸ほぞと一致し得る。
【００１４】
本願の実施形態の第１の態様に関連して、本願の実施形態の第１の態様の第３の実装において、第１の磁石が第１のヒンジカバーの内部に配置され、第２の磁石が第２のヒンジカバーの内部に配置され、第１のヒンジカバーは、第１の磁石および第２の磁石を用いて、第２のヒンジカバーに磁気的に接続される。キーボードドックからのノートブックコンピュータのタブレットコンピュータの分割を実行すべく、第１のヒンジカバーは、磁石間の磁力を用いて、第２のヒンジカバーから柔軟に分離され得る。
【００１５】
本願の実施形態の第１の態様、第１の態様の第１の実装、第１の態様の第２の実装または第１の態様の第３の実装に関連して、本願の実施形態の第１の態様の第４の実装において、第１のヒンジは、第１のヒンジカバーの内部に配置され、第１のヒンジの数は、１または２を含み、第２のヒンジは、第２のヒンジカバーの内部に配置され、第２のヒンジの数は、１または２を含む。
【００１６】
美的な設計を実行して空間を節約するために、第１のヒンジは、第１のヒンジカバーの内部に隠蔽方式で配置され得、第２のヒンジは、第２のヒンジカバーの内部に隠蔽方式で配置され得る。第１のヒンジの数は、１または２を含む。２つの第１のヒンジがある場合、２つの第１のヒンジは、第１のヒンジカバーの垂直二等分線に対して対称的に配置され得る。
【００１７】
本願の実施形態の第１の態様の第４の実装に関連して、本願の実施形態の第１の態様の第５の実装において、第１のヒンジは、２つのヒンジを含み、第１のヒンジカバーは、第１のコンポーネントおよび第２のコンポーネントを含み、第１のヒンジに対応する２つのヒンジは、第１のコンポーネントおよび第２のコンポーネントの内部にそれぞれ配置される。第１のヒンジカバーは、同一である第１のコンポーネントおよび第２のコンポーネントを含み得る。２つのヒンジは、第１のコンポーネントおよび第２のコンポーネントの内部にそれぞれ配置され、第１のコンポーネントと第２のコンポーネントとの間で接合部に対して対称的に配置される。２つのヒンジが選択される場合、第１のヒンジカバーは、組み立てを容易にするために、中央から２つの部分に分割され得る。
【００１８】
第２のヒンジは２つのヒンジを含み、第２のヒンジカバーは第３のコンポーネントおよび第４のコンポーネントを含み、第２のヒンジに対応する２つのヒンジは、第３のコンポーネントおよび第４のコンポーネントの内部にそれぞれ配置される。第２のヒンジカバーは、同一である第３のコンポーネントおよび第４のコンポーネントを含み得る。２つのヒンジは、第３のコンポーネントおよび第４のコンポーネントの内部にそれぞれ配置され、第３のコンポーネントと第４のコンポーネントとの間で接合部に対して対称的に配置される。２つのヒンジが選択される場合、第２のヒンジカバーは、組み立てを容易にするために、中央から２つの部分に分割され得る。
【００１９】
本願の実施形態の第１の態様、第１の態様の第１の実装、第１の態様の第２の実装または第１の態様の第３の実装に関連して、本願の実施形態の第１の態様の第６の実装において、第１のコネクタが第１のヒンジカバー上に配置され、第２のコネクタが第２のヒンジカバー上に配置される。第１のコネクタおよび第２のコネクタは、ペアにされた後に、キーボードドックとタブレットコンピュータとの間でデータを送信するために用いられる。本実施形態において提供されるノートブックコンピュータは、データおよび電流の高速送信を実行することが可能である。
【００２０】
本願の実施形態の第１の態様、第１の態様の第１の実装、第１の態様の第２の実装または第１の態様の第３の実装に関連して、本願の実施形態の第１の態様の第７の実装において、第１の高速近距離データ送信チップが第１のヒンジカバーの内部に配置され、第２の高速近距離データ送信チップが第２のヒンジカバーの内部に配置される。第１の高速近距離データ送信チップおよび第２の高速近距離データ送信チップは、ペアにされた後に、キーボードドックとタブレットコンピュータとの間でデータを送信するために用いられる。本実施形態において提供される高速近距離データ送信チップは、第１のヒンジカバーおよび第２のヒンジカバーの内部に隠蔽方式でそれぞれ配置される近距離チップである。これにより、ノートブックコンピュータの空間が適切に利用され、美観が提供される。
【００２１】
本願の実施形態の第１の態様、第１の態様の第１の実装、第１の態様の第２の実装または第１の態様の第３の実装に関連して、本願の実施形態の第１の態様の第８の実装において、支持体が、タブレットコンピュータの背面上に配置され、タブレットコンピュータを支持するために用いられる。タブレットコンピュータモードを実行するためにタブレットコンピュータがキーボードドックから取り外される場合、タブレットコンピュータの背面上の支持体がタブレットコンピュータを支持するために用いられ得ることにより、タブレットコンピュータのスタンドモードが可能になり、タブレットコンピュータがより実用的になる。
【図面の簡単な説明】
【００２２】
【図１】従来技術における二軸ヒンジの概略構造図である。
【００２３】
【図２】従来技術におけるチェーンヒンジの概略構造図である。
【００２４】
【図３】本願の実施形態によるノートブックコンピュータの取り外し時構造の概略図である。
【００２５】
【図４】本願の実施形態によるノートブックコンピュータの別の取り外し時構造の概略図である。
【００２６】
【図５】本願の実施形態によるノートブックコンピュータの別の取り外し時構造の概略図である。
【００２７】
【図６】本願の実施形態によるノートブックコンピュータお別の取り外し時構造の概略図である。
【００２８】
【図７】本願の実施形態によるノートブックコンピュータの別の取り外し時構造の概略図である。
【００２９】
【図８】本願の実施形態によるノートブックコンピュータの組み合わされた構造の概略図である。
【００３０】
【図９】本願の実施形態によるノートブックコンピュータの平面構造の概略図である。
【００３１】
【図１０】本願の実施形態によるノートブックコンピュータの別の組み合わされた構造の概略図である。
【００３２】
【図１１】本願の実施形態によるノートブックコンピュータの部分的構造の概略図である。
【００３３】
【図１２】本願の実施形態によるノートブックコンピュータの別の取り外し時構造の概略図である。
【発明を実施するための形態】
【００３４】
本願の実施形態は、取り外し可能な、すなわち、任意の角度で回転可能なツーインワンノートブックコンピュータを提供する。  ノートブックコンピュータの空間を適切に利用して美観を提供するために、複数のヒンジが、タブレットコンピュータの端部およびキーボードドックの端部に配置され、それぞれのヒンジカバーに隠されている。タブレットコンピュータモードのノートブックコンピュータがより軽量かつ便利になることでより多くのより良い使用モード体験がユーザにもたらされるように、タブレットコンピュータは、キーボードドックから取り外され得る。
【００３５】
当業者が本願の解決手段をより良く理解するよう、以下では、本願の実施形態における添付図面を参照して、本願の実施形態を説明する。
【００３６】
本願の明細書、特許請求の範囲および添付図面において、「第１の」、「第２の」、「第３の」、「第４の」等の用語（存在する場合）は、同様の対象間を区別することを意図しており、必ずしも特定の順序または特定の順番を説明しているわけではない。そのように称されるデータは、本明細書において説明される実施形態が、本明細書において図示または説明される順序以外の順序で実行され得るように、適切な状況において交換可能であることを理解すべきである。さらに、「含む（ｉｎｃｌｕｄｅ）」、「含む（ｃｏｎｔａｉｎ）」という用語または任意の他の異形は、非排他的な包含、例えば、段階またはユニットの列挙を含む処理、方法、システム、製品またはデバイスを含むことを意味しているが、必ずしもそれらの段階またはユニットに限定されるわけではなく、明示的に列挙されていないか、またはそのような処理、方法、製品またはデバイスに固有である他の段階またはユニットを含み得る。
【００３７】
本願の実施形態は、任意の角度で回転可能である取り外し可能なツーインワンノートブックコンピュータを提供する。以下では、図３から図９に示される概略図を参照して、ノートブックコンピュータの構造を詳細に説明する。
【００３８】
図３に示されるように、ノートブックコンピュータは、タブレットコンピュータ１およびキーボードドック２を含む。
【００３９】
タブレットコンピュータ１は、タブレットコンピュータ本体１１、第１のヒンジカバー１２および第１のヒンジ１３を含み、少なくとも１つの第１のヒンジ１３がある。第１のヒンジ１３の第１の端部は、第１のヒンジカバー１２に接続され、第１のヒンジ１３の第２の端部は、タブレットコンピュータ本体１１に接続される。第１のヒンジ１３は、第１のヒンジカバー１２の内部に隠蔽方式で配置され得る。第１のヒンジ１３は、１つのヒンジまたは２つの対称的に配置されたヒンジを含む。第１のヒンジ１３が２つのヒンジを含む場合、第１のヒンジカバー１２はさらに、中央から２つの部分に分割され得る。第１のヒンジ１３が２つのヒンジを含む場合、２つのヒンジは、第１のヒンジカバー１２の２つの端部に対称的に配置される。代替的に、２つのヒンジは、第１のヒンジカバー１２の他の位置に、第１のヒンジカバー１２の垂直二等分線に対して対称的に配置され得る。これは、本明細書において限定されない。第１のヒンジ１３が単一のヒンジを含む場合、単一のヒンジは、第１のヒンジカバー１２のいずれかの端部に配置され得る。これは、本明細書において限定されない。第１のヒンジカバー１２は、第１のヒンジ１３の中心軸（すなわち、ヒンジシャフトの中心）を中心として、タブレットコンピュータ本体１１に対して回転し得る。凹溝１２１が第１のヒンジカバー１２上に配置される。凹溝１２１は、２つの対称的に配置された凹溝を含み得る。具体的には、凹溝１２１は、第１のヒンジカバー１２の外側に配置され、第１のヒンジカバー１２の垂直二等分線に対して対称的に配置された第１の凹溝および第２の凹溝を含み得る。
【００４０】
キーボードドック２は、キーボードドック本体２１、第２のヒンジカバー２２および第２のヒンジ２３を含み、少なくとも１つの第２のヒンジ２３がある。第２のヒンジ２３の第１の端部は、第２のヒンジカバー２２に接続され、第２のヒンジ２３の第２の端部は、キーボードドック本体２１に接続される。具体的には、第２のヒンジカバー２２は、第２のヒンジ２３を用いてキーボードドック本体２１に接続され、第２のヒンジカバー２２は、第２のヒンジ２３の中心軸を中心として、キーボードドック本体２１に対して回転し得る。第２のヒンジ２３は、第２のヒンジカバー２２の内部に隠蔽方式で配置され得る。第２のヒンジ２３は、１つのヒンジまたは２つの対称的に配置されたヒンジを含む。第２のヒンジ２３が２つのヒンジを含む場合、第２のヒンジカバー２２はさらに、中央から２つの部分に分割され得る。凸ほぞ２２１が第２のヒンジカバー２２上に配置される。凸ほぞ２２１は、第２のヒンジカバー２２の外側に配置され、第２のヒンジカバー２２の垂直二等分線に対して対称的に配置された第１の凸ほぞおよび第２の凸ほぞを特に含み得る。第１の凹溝と第２の凹溝との間の直線距離は、第１の凸ほぞと第２の凸ほぞとの間の直線距離と同じである。このように、凸ほぞ２２１は、ノートブックコンピュータの組み立てを容易にするために、比較的美的な方式で凹溝１２１と一致し得る。タブレットコンピュータ１とキーボードドック２とは、第１のヒンジカバー１２と第２のヒンジカバー２２とを用いて接続され、第１のヒンジカバー１２は、取り外し可能な方式で第２のヒンジカバー２２に接続される。具体的には、タブレットコンピュータ１は、凸ほぞ２２１を凹溝１２１に接続することによりキーボードドック２に接続され得る。
【００４１】
ノートブックモードでは、第１のヒンジカバー１２および第２のヒンジカバー２２は常に、比較的静的である。タブレットコンピュータ１が０度から１８０度へ回転する場合、第１のヒンジカバー１２、第２のヒンジカバー２２、第２のヒンジ２３およびキーボードドック本体２１は、比較的静的であり、タブレットコンピュータ本体１１は、第１のヒンジ１３を中心として、第１のヒンジカバー１２に対して回転する。タブレットコンピュータ１が１８０度へ回転する場合、第１のヒンジ１３はロックされ、タブレットコンピュータ本体１１の回転は止まり、第２のヒンジ２３の動作が始まる。タブレットコンピュータ１が１８０度から３６０度へ回転する場合、タブレットコンピュータ本体１１、第１のヒンジカバー１２、第１のヒンジ１３および第２のヒンジカバー２２は、比較的静的であり、キーボードドック本体２１は、第２のヒンジ２３を中心として、第２のヒンジカバー２２に対して回転する。
【００４２】
本願の本実施形態において提供されるノートブックコンピュータによれば、独立したヒンジとヒンジカバーとが、タブレットコンピュータの端部とキーボードドックの端部とにそれぞれ配置され、ヒンジがそれぞれのヒンジカバーに隠蔽されることにより、空間が節約され、外観が美しくなり、コストが低減する。タブレットコンピュータモードのノートブックコンピュータがより軽量かつ便利になることでより多くのより良い使用モード体験がユーザにもたらされるように、ノートブックコンピュータは、３６０度の反転を支持し、また、タブレットコンピュータがキーボードドックから取り外されることを可能にする。
【００４３】
図３に示される構造に基づいて、図４は、第１のヒンジ１３がタブレットコンピュータ本体１１から取り外され、第２のヒンジ２３がキーボードドック２１から取り外されていることを示す図である。図４に示される本体構造は、図３に示されるものと同じである。詳細は、ここでは改めて説明されない。凸ほぞ２２１は、ノートブックコンピュータを組み付けてノートブックコンピュータモードを実行するために、凹溝１２１に接続され得るか、または、タブレットコンピュータモードを実行するために、凹溝１２１から取り外され得る。言い換えると、タブレットコンピュータ１は、ノートブックコンピュータモードを実行するために、凸ほぞ２２１を凹溝１２１に接続することによりキーボードドック２に接続されるか、または、タブレットコンピュータモードを実行するために、凸ほぞ２２１を凹溝１２１から取り外すことによりキーボードドック２から分離される。
【００４４】
図５に示される本体構造は、図４に示されるものと基本的に同じである。同じかまたは対応する技術的特徴については、図４を参照されたい。違いは、図５では、第１のヒンジカバー１２の内部に配置された第１の磁石１２２と第２のヒンジカバー２２の内部に配置された第２の磁石２２２とを用いて、第１のヒンジカバー１２が第２のヒンジカバー２２に磁気的に接続されることである。これらの磁石は、永久磁石または永久電磁石である。本実装例において、凹溝１２１および凸ほぞ２２１は、第１のヒンジカバー１２および第２のヒンジカバー２２上に配置される必要はない可能性がある。
【００４５】
図６に示される本体構造は、図４に示されるものと基本的に同じである。同じかまたは対応する技術的特徴については、図４を参照されたい。違いは、図６では、２つのヒンジがタブレットコンピュータ１上に配置され、２つのヒンジがキーボードドック２上に配置される場合、第１のヒンジカバー１２は中央位置１２３で分割され得、第２のヒンジカバー２２は中央位置２２３で分割され得ることである。
【００４６】
図７に示される本体構造は、図４に示されるものと基本的に同じである。同じかまたは対応する技術的特徴については、図４を参照されたい。違いは、図４では、２つの第１のヒンジ１３および２つの第２のヒンジ２３があり、図７では、１つの第１のヒンジ１３および１つの第２のヒンジ２３があり、単一のヒンジが、各ヒンジカバー（第１のヒンジカバー１２および第２のヒンジカバー２２）の左端部または右端部のいずれかに配置され得ることである。図７は、単一のヒンジの配置方式の単なる概略図であり、単一のヒンジの配置方式は、図７に示される実施形態に限定されない。図７に示されるように、第１のヒンジ１３の数および第２のヒンジ２３の数の両方が１を含む場合、第１のヒンジカバー１２および第２のヒンジカバー２２は、中央から分割され得ない。
【００４７】
図３によれば、図８は、凸ほぞ２２１を凹溝１２１に接続することによりノートブックコンピュータのタブレットコンピュータ１がキーボードドック２に接続されていることを示す概略組立図である。図８に示される本体構造は、図３に示されるものと同じである。詳細は、ここでは改めて説明されない。
【００４８】
図９は、図３に示されるノートブックコンピュータ構造に基づく折り畳まれていないモードのタブレットコンピュータ１およびキーボードドック２の平面構造の概略図である。図９に示される本体構造は、図３に示されるものと同じである。詳細は、ここでは改めて説明されない。
【００４９】
図１０に示される本体構造は、図３に示されるものと基本的に同じである。違いは、ノートブックコンピュータモードでは、ペアリングコネクタ（ｃｏｎｎｅｃｔｏｒ）が、図１０に示されるノートブックコンピュータの、タブレットコンピュータ１の第１のヒンジカバー１２および対応するキーボードドック２の第２のヒンジカバー２２上に配置されることである。具体的には、第１のコネクタ３２２は第１のヒンジカバー１２上に配置され、第２のコネクタ４２２は第２のヒンジカバー２２上に配置される。第１のコネクタ３２２および第２のコネクタ４２２は、ペアにされた後に、キーボードドック２とタブレットコンピュータ１との間でデータを送信する（例えば、キーボードの端部のキーボード信号またはグラフィックカード信号を送信する）ために用いられる。本実施形態において提供されるノートブックコンピュータは、データおよび電流の高速送信を実行することが可能である。
【００５０】
図１１に示される本体構造は、図３に示されるものと基本的に同じである。違いは、ノートブックコンピュータモードでは、ペアリング用の高速近距離データ送信チップ（限定されないがＮＦＣを含む）が、図１１に示されるノートブックコンピュータの、タブレットコンピュータ１の第１のヒンジカバー１２および対応するキーボードドック２の第２のヒンジカバー２２の内部に配置されることである。具体的には、第１の高速近距離データ送信チップ５２２は第１のヒンジカバー１２の内部に配置され、第２の高速近距離データ送信チップ６２２は第２のヒンジカバー２２の内部に配置される。第１の高速近距離データ送信チップ５２２および第２の高速近距離データ送信チップ６２２は、ペアにされた後に、キーボードドック２とタブレットコンピュータ１との間でデータを送信する（例えば、キーボードの端部のキーボード信号またはグラフィックカード信号を送信する）ために用いられる。本実施形態において提供される高速近距離データ送信チップ１２２および２２２は、第１のヒンジカバー１２および第２のヒンジカバー２２の内部に隠蔽方式でそれぞれ配置される近距離チップである。これにより、ノートブックコンピュータの空間が適切に利用され、美観が提供される。
【００５１】
図１２に示されるように、支持体１４がタブレットコンピュータ１の背面上にさらに追加され得る。図１２に示されるタブレットコンピュータ１の構造は、図３に示されるタブレットコンピュータ１の構造と同じである。詳細は、ここでは改めて説明されない。タブレットコンピュータモードを実行するためにタブレットコンピュータ１がキーボードドック２から取り外される場合、タブレットコンピュータ１の背面上の支持体１４がタブレットコンピュータ１を支持するために用いられることで、タブレットコンピュータ１のスタンドモードが可能になり、実行可能性が増し得ることに留意すべきである。
【００５２】
本願において提供されたいくつかの実施形態において、開示されたシステム、装置および方法は、他の方式で実装され得ることを理解すべきである。例えば、説明された装置の実施形態は、一例に過ぎない。例えば、ユニットの分割は、論理的機能の分割に過ぎず、実際の実装では他の分割であってよい。例えば、複数のユニットまたはコンポーネントが別のシステムへと組み合わされるか統合されてよく、いくつかの特徴が無視されても実行されなくてもよい。加えて、表示または記載された相互結合もしくは直接結合または通信接続は、 いくつかのインタフェース、装置またはユニットの間の間接結合または通信接続であってよく、電子、機械または他の形式で実行されてよい。
【００５３】
別個の部分として説明されたユニットは、物理的に別個であってもそうでなくてもよい。ユニットとして表示された部分は、物理ユニットであってもそうでなくてもよく、１箇所に配置されても複数のネットワークユニット上に分散して配置されてもよい。当該ユニットのいくつかまたは全てが、実施形態の解決手段の目的を達成するための実際の要件に従って選択されてよい。
【００５４】
加えて、本願の実施形態における機能ユニットは、１つの処理ユニットに統合されてよく、または当該ユニットの各々が物理的に単独で存在してよく、または２つまたはそれより多くのユニットが１つのユニットに統合される。統合されたユニットは、ハードウェアの形態で実装されてよく、または、ソフトウェア機能ユニットの形態で実装されてよい。
【００５５】
前述の実施形態は、本願の技術的解決手段を説明することを意図しているに過ぎず、本願を限定することを意図していない。前述の実施形態を参照して本願が詳細に説明されたが、当業者であれば、本願の実施形態の技術的解決手段の趣旨および範囲から逸脱することなく、前述の実施形態において説明された技術的解決手段に対する修正をさらに行い得るか、またはそれらのいくつかの技術的特徴の均等な置き換えを行い得ることを理解するはずである。
【図１】
0006822725.tif 000002
【図２】
0006822725.tif 000003
【図３】
0006822725.tif 000004
【図４】
0006822725.tif 000005
【図５】
0006822725.tif 000006
【図６】
0006822725.tif 000007
【図７】
0006822725.tif 000008
【図８】
0006822725.tif 000009
【図９】
0006822725.tif 000010
【図１０】
0006822725.tif 000011
【図１１】
0006822725.tif 000012
【図１２】
0006822725.tif 000013